(57)【要約】【課題】バケットを用いて簡単な構成で粘性土や改質土の解泥・混合を効率よく実施可能な粘性土処理装置、粘性土処理方法およびバケットを提供する。【解決手段】この粘性土処理装置は、バケット１０と、バケットを操作する操作部と、を有し、バケットを操作して、粘性土の解泥および粘性土と改質材との混合の少なくとも一方の処理を行うための粘性土処理装置であって、バケットは、バケットの背面部１１と背面部よりも前面側に位置する前面部１２とにスケルトン構造を備える。【選択図】図２
2020122265.tif 000002
【特許請求の範囲】
【請求項１】
バケットと、前記バケットを操作する操作部と、を有し、前記バケットを操作して、粘性土の解泥および粘性土と改質材との混合の少なくとも一方の処理を行うための粘性土処理装置であって、
前記バケットは、前記バケットの背面部と前記背面部よりも前面側に位置する前面部とにスケルトン構造を備える粘性土処理装置。
【請求項２】
前記背面部と前記前面部との間の中間部にスケルトン構造をさらに備える請求項１に記載の粘性土処理装置。
【請求項３】
前記バケット内において前記バケットの側面部から対面の側面部に延びた回転軸を中心に回転する回転翼を設け、前記回転翼は、前記処理のときの前記バケット内における粘性土または粘性土と改質材との混合による改質土の移動により回転可能である請求項１に記載の粘性土処理装置。
【請求項４】
前記スケルトン構造は格子状またはスリット状に構成されている請求項１乃至３のいずれかに記載の粘性土処理装置。
【請求項５】
前記バケットの前面側に位置するスケルトン構造の格子サイズまたはスリット間隔は、前記前面側に対し背面側に位置するスケルトン構造と比べて同等以上である請求項４に記載の粘性土処理装置。
【請求項６】
前記バケットの前面側に位置する格子またはスリットの配列位置は、前面側から前面に対し直交する方向に背面側を見たとき、前記前面側に隣接する背面側の格子またはスリットの配列位置に対しずれている請求項４または５に記載の粘性土処理装置。
【請求項７】
前記バケットの底面部の少なくとも前面側をスケルトン構造ではない平坦部とした請求項１乃至６のいずれかに記載の粘性土処理装置。
【請求項８】
前記スケルトン構造は着脱可能に構成されている請求項１乃至７のいずれかに記載の粘性土処理装置。
【請求項９】
前記スケルトン構造は棒状または板状の鋼材から構成され、前記鋼材は前記バケットの前面側および背面側の少なくとも一方に向けて尖っている請求項１乃至８のいずれかに記載の粘性土処理装置。
【請求項１０】
バケットの背面部と前記背面部よりも前面側に位置する前面部とにスケルトン構造を備える前記バケットを操作して、粘性土の解泥および粘性土と改質材との混合の少なくとも一方の処理を行う粘性土処理方法。
【請求項１１】
前記バケットの底面部の少なくとも前面側をスケルトン構造ではない平坦部とし、
前記バケットにより粘性土または粘性土と改質材との混合による改質土を前記平坦部に載せて掬い上げてから落下させることで前記処理を行う請求項１０に記載の粘性土処理方法。
【請求項１２】
請求項１乃至９のいずれかに記載の粘性土処理装置または請求項１０または１１に記載の粘性土処理方法に使用可能なバケット。
【発明の詳細な説明】
【技術分野】
【０００１】
本発明は、粘性土の解泥や粘性土と改質材との混合のための粘性土処理装置、粘性土処理方法、およびこれらに用いられるバケットに関する。
【背景技術】
【０００２】
粘性土を解泥する際、または、粘性土にセメントや製鋼スラグ等の改質材を混合する際には、バックホウ等の建設機械が使用されている。バックホウにはバケットが取り付けられるが（特許文献１参照）、スケルトンバケットが使用されることもある（特許文献２参照）。スケルトンバケットは、処理対象物の選別や篩分けのため背面部から底面部にかけて格子状フレームに構成されている。また、スケルトンバケットに回転駆動源による回転混合装置を備えたミキシングバケットを使用する場合もある（特許文献３参照）。
【０００３】
特許文献２は、第１のスケルトンバケットの投入口以外の部分に第２のスケルトンバケットが着脱可能な状態で連結されたスケルトンバケットおよびこれを使用したふるい分け方法を開示する。
【先行技術文献】
【特許文献】
【０００４】
【特許文献１】特開平10-147950号公報
【特許文献２】特許第3332372号公報
【特許文献３】特開2011-252369号公報
【発明の概要】
【発明が解決しようとする課題】
【０００５】
スケルトンバケットは、本来選別や篩分けに使用されるものであり、通常のバケットと比較して粘性土の解泥や改質材の混合に優位性がある場合もあるが、必ずしも粘性土の解泥や混合に適したものではなく、効率的な粘性土の解泥処理・混合処理を行うことができない。また、引用文献２のスケルトンバケットは、土砂や破砕物の篩い分けを目的としたもので、粘性土の解泥処理・混合処理に適したものではない。
【０００６】
また、ミキシングバケットは、装置が回転駆動源等を有し複雑となるためメンテナンスの手間や故障への対応が必要となる。また、粘性土の含水比が低い場合や改質材の添加量が多い場合等において、処理対象の粘性土や改質土の粘性が大きくなると油圧モータの負荷が大きくなり、ホースの破断・油流出等のリスクが生じる。
【０００７】
本発明は、上述のような従来技術の問題に鑑み、バケットを用いて簡単な構成で粘性土や改質土の解泥・混合を効率よく実施可能な粘性土処理装置、粘性土処理方法およびバケットを提供することを目的とする。
【課題を解決するための手段】
【０００８】
上記目的を達成するための粘性土処理装置は、バケットと、前記バケットを操作する操作部と、を有し、前記バケットを操作して、粘性土の解泥および粘性土と改質材との混合の少なくとも一方の処理を行うための粘性土処理装置であって、前記バケットは、前記バケットの背面部と前記背面部よりも前面側に位置する前面部とにスケルトン構造を備える。
【０００９】
この粘性土処理装置によれば、粘性土の解泥処理や混合処理の際のバケット操作により、粘性土または粘性土と改質材との混合による改質土（以下、単に「改質土」という。)が、バケットの前面部のスケルトン構造に当たってスケルトン構造を通過するときに、粘性土・改質土の塊が分断されるとともに、粘性土・改質土が流動状態となって攪乱され、さらに、背面部のスケルトン構造に当たってスケルトン構造を通過する際に、粘性土・改質土の塊がさらに分断され、攪拌される。バケットにスケルトン構造を少なくとも二重に設けることで、バケットを押すまたは引くという１回の移動操作で粘性土・改質土について二重の攪拌効果を図ることができる。このようにして、粘性土を充分に解泥でき、また、粘性土と改質材とを充分に混合でき、簡単な構成のバケットを用いて粘性土・改質土の解泥・混合を効率よく実施することができる。
【００１０】
上記粘性土処理装置において、前記背面部と前記前面部との間の中間部にスケルトン構造をさらに備えることで、粘性土・改質土の塊がより効率よく分断できるとともに、粘性土・改質土について多重の攪拌効果を図ることができる。
【００１１】
また、前記バケット内において前記バケットの側面部から対面の側面部に延びた回転軸を中心に回転する回転翼を設け、前記回転翼は、前記処理のときの前記バケット内における粘性土または改質土の移動により回転可能であることで、粘性土・改質土の解泥・混合を促進できる。
【００１２】
また、前記スケルトン構造は格子状またはスリット状に構成されることが好ましい。
【００１３】
また、前記バケットの前面側に位置するスケルトン構造の格子サイズまたはスリット間隔は、前記前面側に対し背面側に位置するスケルトン構造と比べて同等以上であることが好ましい。前面側の格子またはスリットをその背面側の格子またはスリットと比べて同等以上の大きさにすることで、粘性土・改質土が前面側のスケルトン構造に入り易くなるとともに、前面側を通過して分断された粘性土・改質土の塊が背面側のスケルトン構造でさらに小さく分断できる。
【００１４】
また、前記バケットの前面側に位置する格子またはスリットの配列位置は、前面側から前面に対し直交する方向に背面側を見たとき、前記前面側に隣接する背面側の格子またはスリットの配列位置に対しずれていることが好ましい。これにより、前面側を通過して分断された粘性土・改質土の塊が背面側のスケルトン構造でより小さく分断できる。
【００１５】
また、前記バケットの底面部の少なくとも前面側をスケルトン構造ではない平坦部とすることで、粘性土・改質土を、バケットの平坦部に載せて掬い上げた後に、前面部または背面部のスケルトン構造を通過して落下させることができ、落下の衝撃により解泥・混合を促進することができる。
【００１６】
また、前記スケルトン構造は着脱可能に構成されることが好ましい。これにより、粘性土の土質や含水比に応じて、スケルトン構造の格子サイズまたはスリット間隔を変更する場合、また、スケルトン構造自体が摩耗等により損傷した場合等に交換可能となる。
【００１７】
また、前記スケルトン構造は棒状または板状の鋼材から構成され、前記鋼材は前記バケットの前面側および背面側の少なくとも一方に向けて尖っていることで、粘性土・改質土の塊の分断に寄与できる。
【００１８】
上記目的を達成するための粘性土処理方法は、バケットの背面部と前記背面部よりも前面側に位置する前面部とにスケルトン構造を備える前記バケットを操作して、粘性土の解泥および粘性土と改質材との混合の少なくとも一方の処理を行うものである。
【００１９】
この粘性土処理方法によれば、粘性土の解泥処理や混合処理の際のバケット操作により、粘性土または改質土が、バケットの前面部のスケルトン構造に当たってスケルトン構造を通過するときに、粘性土・改質土の塊が分断されるとともに、粘性土・改質土が流動状態となって攪乱され、さらに、背面部のスケルトン構造に当たってスケルトン構造を通過する際に、粘性土・改質土の塊がさらに分断され、攪拌される。バケットにスケルトン構造を少なくとも二重に設けることで、バケットを押すまたは引くという１回の移動操作で粘性土・改質土について二重の攪拌効果を図ることができる。このようにして、粘性土を充分に解泥でき、また、粘性土と改質材とを充分に混合でき、簡単な構成のバケットを用いて粘性土・改質土の解泥・混合を効率よく実施することができる。
【００２０】
上記粘性土処理方法において、前記バケットの底面部の少なくとも前面側をスケルトン構造ではない平坦部とし、前記バケットにより粘性土または改質土を前記平坦部に載せて掬い上げてから落下させることで前記処理を行うことに加えて、落下され混合されることにより粘性土・改質土の解泥・混合を促進することができる。
【００２１】
上記目的を達成するためのバケットは、上述の粘性土処理装置または上述の粘性土処理方法に使用可能なバケットである。かかるバケットを用いて、粘性土を充分に解泥でき、また、粘性土と改質材とを充分に混合できる。簡単な構成のバケットを用いて粘性土・改質土の解泥・混合を効率よく実施することができる。
【発明の効果】
【００２２】
本発明によれば、バケットを用いて簡単な構成で粘性土や改質土の解泥・混合を効率よく実施可能な粘性土処理装置、粘性土処理方法、およびそれらに使用可能なバケットを提供することができる。
【図面の簡単な説明】
【００２３】
【図１】第１の実施形態によるバケットを概略的に示す斜視図である。
【図２】図１のバケットの側面図（ａ）、バケットの前面部を概略的に示す正面図（ｂ）およびバケットの背面部を概略的に示す正面図（ｃ）である。
【図３】図１，図２のバケットの背面部，前面部においてスケルトン構造を構成する棒状の鋼材の断面図（ａ）〜（ｅ）である。
【図４】図１，図２のバケットの基本的な動作である、水平方向への移動動作（ａ）および掬い上げ・落下動作（ｂ）を概略的に示す側面図である。
【図５】図１，図２のバケットを、底面部を水平にして水平方向に移動させて解泥・混合を行う動作を説明する側面図（ａ）およびバケットを、底面部、平坦部を傾斜させて水平方向に移動させて解泥・混合を行う動作を説明する側面図（ｂ）である。
【図６】図１，図２のバケットを図５（ａ）（ｂ）のように移動させたときの粘性土・改質土の塊が分断される様子を模式的に示す上面図である。
【図７】図１，図２のバケットによる粘性土・改質土の掬い上げ・落下により解泥・混合を行う動作を示す側面図（ａ）および別の掬い上げ・落下により解泥・混合を行う動作を示す側面図（ｂ）である。
【図８】第２の実施形態によるバケットの側面図（ａ）、バケットの前面部を概略的に示す正面図（ｂ）、中間部を概略的に示す正面図（ｃ）および背面部を概略的に示す正面図（ｄ）である。
【図９】図８のバケットを図５（ａ）（ｂ）のように移動させたときの粘性土・改質土の塊が分断される様子を模式的に示す上面図である。
【図１０】第３の実施形態によるバケットの側面図である。
【図１１】図１０のバケットを図５（ａ）（ｂ）のように移動させたときの粘性土・改質土Ｇの塊が分断される様子を模式的に示す上面図である。
【図１２】本解泥実験の結果を示すグラフである。
【図１３】本混合実験の結果を示すグラフである。
【発明を実施するための形態】
【００２４】
以下、本発明を実施するための形態について図面を用いて説明する。
【００２５】
〈第１の実施形態〉
図１は第１の実施形態によるバケットを概略的に示す斜視図である。図２は図１のバケットの側面図（ａ）、バケットの前面部を概略的に示す正面図（ｂ）およびバケットの背面部を概略的に示す正面図（ｃ）である。
【００２６】
図１，図２（ａ）のように、バケット１０は、背面部１１と、前面部１２と、底面部１３と、両側面部１４，１５と、を備え、側面から見ると、背面部１１は略半円状に構成され、前面部１２と底面部１３とが直線状に構成されている。図２（ａ）のように、バケット１０が回転支軸１０ａで吊り下げられて底面部１３がほぼ水平のとき、前面部１２が下方側でより突き出るように傾斜している。図の矢印方向Ａからの粘性土・改質土がバケット１０内に前面から入るようになっている。
【００２７】
図１，図２（ａ）〜（ｃ）のように、バケット１０の背面部１１および前面部１２は、格子状のスケルトン構造に構成されている。すなわち、前面部１２のスケルトン構造は、図２（ｂ）のように、縦方向に配置された複数の棒状や板状の鋼材からなる縦部材１２ａと、横方向に配置された複数の棒状や板状の鋼材からなる横部材１２ｂとから格子状に構成されている。背面部１１のスケルトン構造は、図２（ｃ）のように、縦方向に配置された複数の棒状や板状の鋼材からなる縦部材１１ａと、横方向に配置された複数の棒状や板状の鋼材からなる横部材１１ｂとから格子状に構成されている。
【００２８】
図２（ｂ）（ｃ）のように、前面部１２のスケルトン構造の格子ｍの縦横サイズは、背面部１１のスケルトン構造の格子ｎの縦横サイズよりも大きくなっている。格子ｍ，ｎは、それぞれ、縦部材１２ａまたは１１ａと横部材１２ｂまたは１１ｂとから形成される最小の矩形状の平面空間部で、これらの平面空間部を粘性土や改質土が通過する。なお、格子ｍ，ｎの縦横サイズは同等に構成される場合もある。
【００２９】
図１のように、前面部１２は、複数の横部材１２ｂが一対の側板１２ｄ，１２ｄの間に配置されて溶接により固定され、これらの横部材１２ｂに複数の縦部材１２ａが溶接により固定されることで、全体的に枠状に構成されている。前面部１２の側板１２ｄには長方形状の取付片１２ｅが側板１２ｄと側面部１５，１４とを跨ぐように溶接により取り付けられている。枠状に構成された前面部１２は、バケット１０の前面を覆うように配置されてから、取付片１２ｅと側面部１４，１５の各ボルト孔に挿通されたボルト１２ｆにより固定することで取り付けられ、その後、ボルト１２ｆを緩めて除去することで、バケット１０の前面から取り外すことができる。このように、前面部１２は着脱可能になっているので、摩耗時等の取り替えが可能であり、また、粘性土の土質や含水比等に対応して格子の縦横サイズの違う前面部に交換することもできる。
【００３０】
なお、前面部１２は、上記と同様に枠状に構成し、バケット１０の内面にはめ込むようにして取り付けるようにしてもよく、枠状の前面部１２をボルトナットで固定することで着脱自在に構成できる。また、着脱が不要等の場合は、図１の側板１２ｄ，１２ｄをバケット１０の側面部１４，１５に溶接により固定してもよい。
【００３１】
また、背面部１１は、側面部１４，１５の間に複数の横部材１１ｂが配置されて溶接により固定され、これらの横部材１１ｂに複数の縦部材１１ａが溶接により固定されているが、前面部１２と同様に枠状に構成し、着脱可能に構成してもよい。
【００３２】
図１，図２（ａ）のように、底面部１３は、背面側で背面部１１と接続して格子の一部を形成しているが、前面側に平坦部１３ａを有する。平坦部１３ａは一定幅の平板から構成されスケルトン構造になっていない。このため、バケット１０で粘性土や改質土を底面部１３の平坦部１３ａに載せて後述の図４（ｂ）のように掬い上げることができる。また、平坦部１３ａには前面部１２から突き出るようにして平板状の突き出し部１３ｂを取り付けることができるようになっている。なお、この取り付け可能な突き出し部１３ｂの形状は、分割されていてもよく、たとえば複数の爪状に構成されてもよい。また、突き出し部１３ｂの取り付けは省略してもよい。
【００３３】
図３は、図１，図２のバケット１０の背面部１１，前面部１２においてスケルトン構造を構成する鋼材の断面図（ａ）〜（ｅ）である。図３（ａ）〜（ｅ）において紙面の下側がバケット１０の前面側である。図１（ｂ）（ｃ）の背面部１１，前面部１２の縦部材１１ａ，１２ａおよび横部材１１ｂ，１２ｂは、棒状や板状の鋼材からなるが、その鋼材のバケットの前面から背面に延びる方向に切断して見た断面形状は、図３（ａ）の矩形状、図３（ｂ）の円形状、図３（ｃ）の先端に向けて鋭角に尖った形状（先端が平坦）、図３（ｄ）の先端に向けて鋭角に尖った形状、図３（ｅ）の図３（ｄ）よりも鋭利に尖ったナイフエッジ形状、のいずれであってもよいが、図３（ｃ）〜（ｅ）のように、前面側が尖った形状であると、バケット１０の前面から入ってくる粘性土等の塊の分断に寄与でき、解泥・混合の効率化を図ることができる。
【００３４】
なお、たとえば、前面部１２の縦部材１２ａ，横部材１２ｂを図３（ｃ）〜（ｅ）のように前面側が尖った形状の鋼材から構成し、背面部１１の縦部材１１ａ，横部材１１ｂを図３（ａ）（ｂ）のように矩形状や円形状の鋼材から構成するようにしてもよい。また、前面部１２の縦部材１２ａ，横部材１２ｂの背面側を図３（ｃ）〜（ｅ）の形状とすることでバケット１０を後述の図４（ａ）のように移動させたときには、より粘性土等の塊の分断及び解泥・混合を効率的に行うことができる。
【００３５】
上述のバケット１０は、粘性土の解泥処理および粘性土と改質材との混合処理に適しており、本実施形態による粘性土の解泥および粘性土と改質材との混合の各処理を行うための粘性土処理装置は、バケット１０と、バケット１０を操作するための操作部とを備えて構成される。なお、バケットの駆動源としてバックホウ等の建築機械を用いる場合、バケットは建築機械の操作部により操作される。
【００３６】
バケット１０は、図１，図２（ａ）のように、上部に固定されたブラケット１０ｂと回転支軸１０ａとにより回転支軸１０ａを中心に回動可能に構成され、バックホウ等の建築機械からブーム等を介して延びるアーム１により上下左右の移動や回動や地面に対する傾斜（向き）や振動等が制御される。すなわち、バックホウ等の重機から延びて回転支軸１０ａに回動可能に連結されたアーム１ａと、バケット１０の背面側に連結されて油圧により伸縮するシリンダ部１ｂとが、バックホウ等の建築機械の操作部で操作されることで、バケット１０の移動や回動や傾斜や振動が制御される。なお、バケット１０を操作する建築機械の操作部の構成は、通常の建築機械における操作部と同様であるので、その説明は省略する。
【００３７】
図４は、バケット１０の基本的な動作である、水平方向への移動動作（ａ）および掬い上げ・落下動作（ｂ）を概略的に示す側面図である。バケット１０を、バックホウ等の建築機械の操作部で操作して、図４（ａ）のように、底面部１３をほぼ水平にして粘性土・改質土Ｇに対し手前水平方向Ｈに引く、奥側水平方向Ｈ’に押す、または、図４（ｂ）のように、粘性土・改質土Ｇを斜め上方向Ｂへ掬い上げて落下させるという各動作を単独あるいは複数組み合わせて粘性土・改質土Ｇの解泥処理・混合処理を行うことができる。なお、図４（ｂ）の動作の際に必要に応じて後述の図７（ａ）（ｂ）のようにバケット１０を前後に傾ける、バケット１０を振動させる等の操作を行うようにしてもよい。
【００３８】
図１〜図４のバケット・粘性土処理装置による解泥・混合の各処理について図５〜図７を参照して説明する。図５は、バケット１０を、底面部１３を水平にして水平方向に移動させて解泥・混合を行う動作を説明する側面図（ａ）およびバケット１０を、底面部１３、平坦部１３ａを傾斜させて水平方向に移動させて解泥・混合を行う動作を説明する側面図（ｂ）である。図６は、バケット１０を図５（ａ）（ｂ）のように移動させたときの粘性土・改質土Ｇの塊が分断される様子を模式的に示す上面図である。図７は、バケット１０による粘性土・改質土Ｇの掬い上げ・落下により解泥・混合を行う動作を示す側面図（ａ）および別の掬い上げ・落下により解泥・混合を行う動作を示す側面図（ｂ）である。
【００３９】
図１〜図４のバケット１０を、粘性土処理装置の操作部で操作して、図４（ａ）のように粘性土・改質土Ｇ内で底面部１３を水平に維持した状態で、図５（ａ）のように手前水平方向Ｈに引くと、粘性土・改質土Ｇが前面部１２に衝突し、図５（ａ）、図６のように、前面部１２を通過する際に粘性土・改質土Ｇの大きな塊（大塊）Ｇ１がスケルトン構造を構成する縦部材１２ａ、横部材１２ｂに当たることで分断され、バケット１０内で中程度の塊（中塊）Ｇ２となるとともに流動状態となって撹乱され、次に、中塊Ｇ２が背面部１１を通過する際にスケルトン構造を構成する縦部材１１ａ、横部材１１ｂに当たることでさらに分断され、小さな塊（小塊）Ｇ３となって外部に出て、また、小塊Ｇ３が背面部１１を通過して水平矢印方向ｃに流れて乱流によって攪拌される。このようにして、粘性土を充分に解泥でき、また、粘性土と改質材とを充分に混合でき、簡単な構成のバケット１０を用いて粘性土・改質土の解泥処理・混合処理を効率よく実施することができる。
【００４０】
また、バケット１０は、底面部１３にスケルトン構造のない平坦部１３ａを有するので、図５（ｂ）のように、バケット１０を、平坦部１３ａを背面部１１が高くなるように傾けた状態で手前水平方向Ｈに引くことにより、平坦部１３ａから粘性土や改質材土の塊が流れ出ず、下方の塊がバケット１０内を斜め上方向ｄに移動する。このようにして、図６と同様に粘性土・改質土Ｇの塊を分断し攪拌しながら解泥・混合を図５（ａ）と同様にして行い、粘性土・改質土の解泥処理・混合処理を効率よく実施できる。また、こうした処理方法は、比重が大きい製鋼スラグ等を改質材として使用した場合、粘性土内で下方に沈降した改質材を均一に混合する際にも有効である。
【００４１】
また、図６では、バケット１０の前面部１２における縦部材１２ａ、横部材１２ｂの断面形状を図３（ｄ）のように前面側が鋭角に尖った形状にしたので、粘性土・改質土Ｇの大塊Ｇ１を効率的に分断することができる。
【００４２】
バケット１０で図４（ｂ）のように粘性土・改質土Ｇを掬い上げた場合、図７（ａ）のように、バケット１０を底面部１３が前面部１２側に斜め下方になるように傾斜させると、底面部１３，平坦部１３ａ上の粘性土・改質土Ｇが斜め下方向ｅに向いて前面部１２のスケルトン構造を通過する際に攪拌されるとともに、その塊Ｇ４が落下時に下部の粘性土・改質土Ｇと衝突することによって解泥されまた混合されることで解泥・混合を促進させることができる。
【００４３】
同様に、図７（ｂ）のように、バケット１０を底面部１３が前面部１２側に斜め上方になるように傾斜させると、底面部１３，平坦部１３ａ上の粘性土・改質土Ｇが下方向ｆに向いて背面部１１のスケルトン構造を通過する際に攪拌されるとともに、その塊Ｇ５が落下時に下部の粘性土・改質土Ｇと衝突することによって解泥されまた混合されることで解泥・混合を促進させることができる。
【００４４】
〈第２の実施形態〉
図８は第２の実施形態によるバケットの側面図（ａ）、バケットの前面部を概略的に示す正面図（ｂ）、中間部を概略的に示す正面図（ｃ）および背面部を概略的に示す正面図（ｄ）である。図９は、図８のバケット２０を図５（ａ）（ｂ）のように移動させたときの粘性土・改質土Ｇの塊が分断される様子を模式的に示す上面図である。
【００４５】
図８（ａ）〜（ｄ）のバケット２０は、図１，図２のバケット１０と同様の構成であるが、背面部２１と前面部２２との間にスケルトン構造の中間部２４をさらに設けた点が主に異なる。
【００４６】
バケット２０の前面部２２，中間部２４，背面部２１は、それぞれ、棒状や板状の鋼材からなる複数の縦部材２２ａ，２４ａ，２１ａと複数の横部材２２ｂ，２４ｂ，２１ｂとから格子状のスケルトン構造に構成されている。
【００４７】
また、バケット２０は、バケット１０と同様に、底面部２３にスケルトン構造ではない板材からなる平坦部２３ａを有する。
【００４８】
前面部２２は、図１の前面部１２と同様に全体的に枠状に構成され着脱可能になっている。中間部２４は、複数の横部材２４ｂがバケット２０の両側面部に溶接により固定され、これらの横部材２４ｂに複数の縦部材２４ａが溶接により固定されているが、バケット２０内に嵌め込むように枠状に構成し、ボルトナットで固定することで着脱可能に構成してもよい。背面部２１は図２の背面部１１と同様に構成される。
【００４９】
図８（ｂ）〜（ｄ）のように、前面部２２のスケルトン構造の格子ｘの縦横サイズ、中間部２４の格子ｙの縦横サイズ、背面部２１のスケルトン構造の格子ｚの縦横サイズは、この順に小さくなっている。
【００５０】
また、図９のように、中間部２４は、前面側から前面に対し直交する方向に背面側を見たとき、その複数の縦部材２４ａの各位置が前面部２２の複数の縦部材２２ａの各位置と背面部２１の複数の縦部材２１ａの各位置とに対しずれるように構成されている。また、中間部２４の複数の横部材２４ｂの各位置も前面部２２の複数の横部材２２ｂの各位置と背面部２１の複数の横部材２１ｂの各位置とに対しずれている。かかる構成により、粘性土・改質土が各格子を通過する過程で解泥・混合を促進することができる。
【００５１】
図８のバケット２０を図５（ａ）（ｂ）のように粘性土・改質土Ｇ内で移動させると、中間部２４があるため、粘性土・改質土Ｇの塊はさらに効率よく分断され攪拌される。すなわち、前面部２２，中間部２４，背面部２１のスケルトン構造の各格子は、前面側から背面側に順に縦横サイズが小さく、かつ、縦部材と横部材の設置位置が異なりずれているので、粘性土・改質土Ｇの大塊Ｇ６は、前面部２２のスケルトン構造を通過することで中塊Ｇ７に分断され、中間部２４のスケルトン構造を通過することで小塊Ｇ８に分断され、背面部２１のスケルトン構造を通過することでさらに細かい細小塊Ｇ９に分断されるとともに、バケット２０内で中間部２４の前後において二重に攪拌される。このようにして、粘性土をさらに充分に解泥でき、また、粘性土と改質材とをさらに充分に混合でき、簡単な構成のバケット２０を用いて粘性土・改質土の解泥処理・混合処理をいっそう効率よく実施することができる。
【００５２】
また、バケット２０を用いて図７（ａ）（ｂ）と同様に粘性土・改質土の掬い上げ・落下を行うことができる。
【００５３】
以上のように、粘性土の解泥（加水後の解泥を含む）、改質土の混合において、通常のスケルトンバケットを使用した場合、バケットを奥に押すあるいは手前に引く１回の操作によって解泥・混合の力が作用するのは１回であるが、図２，図８のように、バケット１０，２０に複数のスケルトン構造を設けることにより、バケットを押すあるいは引く１回の操作によって複数回の攪拌効果が期待でき、効率的な解泥処理・混合処理を行うことができる。
【００５４】
〈第３の実施形態〉
図１０は第３の実施形態によるバケットの側面図である。図１１は、図１０のバケット３０を図５（ａ）（ｂ）のように移動させたときの粘性土・改質土Ｇの塊が分断される様子を模式的に示す上面図である。
【００５５】
図１０のバケット３０は、図１の背面部１１と前面部１２との間に側面部１４，１５側から延びた回転軸３１を中心に回転する回転翼３３を設けた点が異なる以外は、図１のバケット１０と同様の構成である。
【００５６】
図１０，図１１のように、バケット３０の側面部１４，１５には軸受３２ａ、３２ｂを介して回転軸３１が回転方向ｒ、その逆回転方向ｒ’に回転自在に配置され、回転軸３１には複数の棒状または板状の被当接部材３３ａからなる複数の回転翼３３が軸方向に並んで設けられている。回転軸３１には油圧モータ等の回転駆動源は連結されていない。
【００５７】
回転翼３３は、回転駆動源がなくとも、バケット３０の図４（ａ）のような移動に伴いバケット３０内で粘性土・改質土が移動した際に各被当接部材３３ａに当接することで回転軸３１を中心にして回転方向ｒ，ｒ’に回転することができる。
【００５８】
図１０，図１１のバケット３０を図５（ａ）（ｂ）のように粘性土・改質土Ｇ内で移動させると、バケット３０内に回転翼３３があるため、粘性土・改質土Ｇの塊はさらに効率よく分断され攪拌される。すなわち、粘性土・改質土Ｇの大塊Ｇ１０は、前面部１２のスケルトン構造を通過することで中塊Ｇ１１に分断され、各被当接部材３３ａに当接することで小塊Ｇ１２に分断され、背面部１１のスケルトン構造を通過することでさらに細かい細小塊Ｇ１３に分断されるとともに、バケット３０内で回転翼３３の前後において二重に攪拌され、中塊Ｇ１１が各被当接部材３３ａに当接して回転翼３３が回転することで中塊Ｇ１１の移動、攪拌および分断がいっそう促進される。このようにして、粘性土をさらに充分に解泥でき、また、粘性土と改質材とをさらに充分に混合でき、簡単な構成のバケット３０を用いて粘性土・改質土の解泥処理・混合処理をいっそう効率よく実施することができる。
【００５９】
また、バケット３０を用いて図７（ａ）（ｂ）と同様に粘性土・改質土の掬い上げ・落下を行うことができる。また、バケット３０の回転翼３３は、特別な回転駆動源が不要であるので、メンテナンスの手間や故障への対応がほとんど必要なく、コスト的にも有利である。
【００６０】
［実験］
解泥
通常のバケット（スケルトン構造無し）と本実施形態による図１，図２のバケット１０を使用して解泥試験を行った結果を図１２に示す。粘性土の含水比が異なるため（通常のバケットの場合の粘性土含水比83.7％、バケット１０の場合の粘性土含水比91.3％）湿潤密度は異なるものの、湿潤密度が一定になるまでの必要時間は、通常のバケットで40分程度に対し、本実施形態のバケットでは25分であり、粘性土の解泥を効率よく行うことができた。
【００６１】
粘性土と改質材との混合
本実施形態によるバケット１０，通常のバケット、および、ミキシングバケットを使用して、それぞれ粘性土に改質材として製鋼スラグを混合し20分間の攪拌した場合の各改質土の湿潤密度を図１３に示す。通常のバケットとミキシングバケットによる場合は混合が不十分で湿潤密度のバラツキが大きいのに対し、本実施形態のバケットでは湿潤密度の数値のバラツキが小さくなり、改質土の混合を効率よく行うことができた。
【００６２】
以上のように本発明を実施するための形態について説明したが、本発明はこれらに限定されるものではなく、本発明の技術的思想の範囲内で各種の変形が可能である。たとえば、本実施形態では、バケット１０は、背面部１１が半円形状で前面部１２がバケット下方側に突出する形状となっているが、これに限定されず、たとえば、長方体（箱形）の形状となっていても良い。
【００６３】
また、本実施形態では各スケルトン構造を格子状としたが、本発明はこれに限定されず、スリット状にしてもよく、この場合、スリット間隔を、前面側が広く、背面側が狭くなるように構成するが、同等に構成してもよい。また、複数の棒状や板状の鋼材がバケットに縦方向に縦部材としてまたは横方向に横部材として配置されて所定間隔を有する複数のスリットが構成される。かかる棒状や板状の鋼材は、図３（ａ）〜（ｅ）と同様に構成されてよく、また、前面側および背面側の少なくとも一方を図３（ｃ）〜（ｅ）のように構成してもよい。
【００６４】
また、スケルトン構造は格子状とスリット状を併用してもよく、たとえば、前面側を格子状に、背面側をスリット状にしてもよい。
【００６５】
また、図２（ｂ）（ｃ）、図８（ｂ）〜（ｄ）の格子状のスケルトン構造における格子の縦横サイズに対応する縦部材と横部材の本数は一例であって、処理対象の土質や含水比等に応じて適宜変更可能であることはもちろんである。
【００６６】
また、スケルトン構造を有する前面部は、バケットの前面端に設けてよいが、これに限定されず、前面端から背面側に入り込んだ位置に設けてもよい。
【００６７】
また、図１，図２（ａ）のバケット１０の側面部１４，１５の少なくとも一方に開口部を設け、この開口部をスケルトン構造にしてもよい。バケットの前面側の幅に対して背面側の幅を細く構成することで、粘性土・改質土が側面部からも排出されるので、解泥処理・混合処理の効率が向上する。また、同様の開口部を図８（ａ）のバケット２０に設ける場合、中間部２４よりも背面部２１側の側面部に設け、図１０のバケット３０に設ける場合、回転軸３１よりも背面部１１側に設けることが好ましい。
【００６８】
また、本実施形態における粘性土の解泥処理とは、粘性土の粒子の塊をより小さくして均一化し、流動性向上等の目的で行われる。また、本実施形態における改質土は、粘性土に鉄鋼スラグ、セメントおよび各種の添加材の少なくともいずれかの改質材を混合したもので、たとえば、浚渫土に鉄鋼スラグを混合したカルシア改質土があるが、これに限定されるものではない。
【産業上の利用可能性】
【００６９】
本発明によれば、バケットが単純な構造で特別な動力を用いることなく、機械のメンテナンスや油漏れ等のリスクを抑制しつつ、通常のバケットやスケルトンバケットと比較して効率的な粘性土の解泥処理・粘性土と改質材との混合処理が可能である。
【符号の説明】
【００７０】
１０，２０，３０ バケット
１１，２１ 背面部
１２、２２ 前面部
１１ａ，１２ａ 縦部材
１１ｂ，１２ｂ 横部材
１３ 底面部
１３ａ 平坦部
１４，１５ 側面部
２１ａ，２２ａ，２４ａ 縦部材
２１ｂ，２２ｂ，２４ｂ 横部材
２３ 底面部
２３ａ 平坦部
２４ 中間部
３１ 回転軸
３３ 回転翼
Ｇ 粘性土・改質土
ｍ，ｎ 格子
ｘ，ｙ，ｚ 格子
【図１】
2020122265.tif 000003
【図２】
2020122265.tif 000004
【図３】
2020122265.tif 000005
【図４】
2020122265.tif 000006
【図５】
2020122265.tif 000007
【図６】
2020122265.tif 000008
【図７】
2020122265.tif 000009
【図８】
2020122265.tif 000010
【図９】
2020122265.tif 000011
【図１０】
2020122265.tif 000012
【図１１】
2020122265.tif 000013
【図１２】
2020122265.tif 000014
【図１３】
2020122265.tif 000015
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
バケットと、前記バケットを操作する操作部と、を有し、前記バケットを操作して、粘性土の解泥および粘性土と改質材との混合の少なくとも一方の処理を行うための粘性土処理装置であって、
前記バケットは、前記バケットの背面部と前記背面部よりも前面側に位置する前面部とにスケルトン構造を備え、
前記バケットの底面部の少なくとも前面側をスケルトン構造ではない平坦部とし、
前記平坦部に前記前面部から突き出るようにして平板状の突き出し部を設けた粘性土処理装置。
【請求項２】
前記背面部と前記前面部との間の中間部にスケルトン構造をさらに備える請求項１に記載の粘性土処理装置。
【請求項３】
前記バケット内において前記バケットの側面部から対面の側面部に延びた回転軸を中心に回転する回転翼を設け、前記回転翼は、前記処理のときの前記バケット内における粘性土または粘性土と改質材との混合による改質土の移動により回転可能である請求項１に記載の粘性土処理装置。
【請求項４】
前記スケルトン構造は格子状またはスリット状に構成されている請求項１乃至３のいずれかに記載の粘性土処理装置。
【請求項５】
前記バケットの前面側に位置するスケルトン構造の格子サイズまたはスリット間隔は、前記前面側に対し背面側に位置するスケルトン構造と比べて同等以上である請求項４に記載の粘性土処理装置。
【請求項６】
前記バケットの前面側に位置する格子またはスリットの配列位置は、前面側から前面に対し直交する方向に背面側を見たとき、前記前面側に隣接する背面側の格子またはスリットの配列位置に対しずれている請求項４または５に記載の粘性土処理装置。
【請求項７】
前記バケットの両側面部の少なくとも一方に開口部を設け、前記開口部をスケルトン構造にした請求項１乃至６のいずれかに記載の粘性土処理装置。
【請求項８】
前記スケルトン構造は着脱可能に構成されている請求項１乃至７のいずれかに記載の粘性土処理装置。
【請求項９】
前記スケルトン構造は棒状または板状の鋼材から構成され、前記鋼材は前記バケットの前面側および背面側の両方に向けて尖っている請求項１乃至８のいずれかに記載の粘性土処理装置。
【請求項１０】
バケットの背面部と前記背面部よりも前面側に位置する前面部とにスケルトン構造を備え、前記バケットの底面部の少なくとも前面側をスケルトン構造ではない平坦部とし、前記平坦部に前記前面部から突き出るようにして平板状の突き出し部を設けた前記バケットを操作して、粘性土の解泥および粘性土と改質材との混合の少なくとも一方の処理を行う粘性土処理方法。
【請求項１１】
前記バケットにより粘性土または粘性土と改質材との混合による改質土を前記平坦部および突き出し部に載せて掬い上げてから落下させることで前記処理を行う請求項１０に記載の粘性土処理方法。
【請求項１２】
粘性土または粘性土と改質材との混合による改質土内において前記平坦部を前記背面部が前記前面部よりも高くなるように傾けた状態で前記バケットを水平方向に移動させることで、前記前面部から流入した前記粘性土または前記改質土が前記平坦部から流れ出ずに斜め上方向に移動し前記背面部から流れ出ることで前記処理を行う請求項１０に記載の粘性土処理方法。
【請求項１３】
請求項１乃至９のいずれかに記載の粘性土処理装置または請求項１０乃至１２のいずれかに記載の粘性土処理方法に使用可能なバケット。
【手続補正２】
【補正対象書類名】明細書
【補正対象項目名】０００８
【補正方法】変更
【補正の内容】
【０００８】
上記目的を達成するための粘性土処理装置は、バケットと、前記バケットを操作する操作部と、を有し、前記バケットを操作して、粘性土の解泥および粘性土と改質材との混合の少なくとも一方の処理を行うための粘性土処理装置であって、前記バケットは、前記バケットの背面部と前記背面部よりも前面側に位置する前面部とにスケルトン構造を備え、前記バケットの底面部の少なくとも前面側をスケルトン構造ではない平坦部とし、前記平坦部に前記前面部から突き出るようにして平板状の突き出し部を設けた。
【手続補正３】
【補正対象書類名】明細書
【補正対象項目名】０００９
【補正方法】変更
【補正の内容】
【０００９】
この粘性土処理装置によれば、粘性土の解泥処理や混合処理の際のバケット操作により、粘性土または粘性土と改質材との混合による改質土（以下、単に「改質土」という。)が、バケットの前面部のスケルトン構造に当たってスケルトン構造を通過するときに、粘性土・改質土の塊が分断されるとともに、粘性土・改質土が流動状態となって攪乱され、さらに、背面部のスケルトン構造に当たってスケルトン構造を通過する際に、粘性土・改質土の塊がさらに分断され、攪拌される。バケットにスケルトン構造を少なくとも二重に設けることで、バケットを押すまたは引くという１回の移動操作で粘性土・改質土について二重の攪拌効果を図ることができる。このようにして、粘性土を充分に解泥でき、また、粘性土と改質材とを充分に混合でき、簡単な構成のバケットを用いて粘性土・改質土の解泥・混合を効率よく実施することができる。また、前記バケットの底面部の少なくとも前面側をスケルトン構造ではない平坦部とし、前記平坦部に前記前面部から突き出るようにして平板状の突き出し部を設けることで、粘性土・改質土を、バケットの平坦部および突き出し部に載せて掬い上げた後に、前面部または背面部のスケルトン構造を通過して落下させることができ、落下の衝撃により解泥・混合を促進することができる。
【手続補正４】
【補正対象書類名】明細書
【補正対象項目名】００１５
【補正方法】変更
【補正の内容】
【００１５】
また、前記バケットの両側面部の少なくとも一方に開口部を設け、前記開口部をスケルトン構造にするようにしてもよい。
【手続補正５】
【補正対象書類名】明細書
【補正対象項目名】００１７
【補正方法】変更
【補正の内容】
【００１７】
また、前記スケルトン構造は棒状または板状の鋼材から構成され、前記鋼材は前記バケットの前面側および背面側の両方に向けて尖っていることで、粘性土・改質土の塊の分断に寄与できる。
【手続補正６】
【補正対象書類名】明細書
【補正対象項目名】００１８
【補正方法】変更
【補正の内容】
【００１８】
上記目的を達成するための粘性土処理方法は、バケットの背面部と前記背面部よりも前面側に位置する前面部とにスケルトン構造を備え、前記バケットの底面部の少なくとも前面側をスケルトン構造ではない平坦部とし、前記平坦部に前記前面部から突き出るようにして平板状の突き出し部を設けた前記バケットを操作して、粘性土の解泥および粘性土と改質材との混合の少なくとも一方の処理を行うものである。
【手続補正７】
【補正対象書類名】明細書
【補正対象項目名】００２０
【補正方法】変更
【補正の内容】
【００２０】
上記粘性土処理方法において、前記バケットにより粘性土または改質土を前記平坦部および前記突き出し部に載せて掬い上げてから落下させることで、前記処理を行うことに加えて、落下され混合されることにより粘性土・改質土の解泥・混合を促進することができる。
また、粘性土または粘性土と改質材との混合による改質土内において前記平坦部を前記背面部が前記前面部よりも高くなるように傾けた状態で前記バケットを水平方向に移動させることで、前記前面部から流入した前記粘性土または前記改質土が前記平坦部から流れ出ずに斜め上方向に移動し前記背面部から流れ出ることで前記処理を行うことができる。
【手続補正８】
【補正対象書類名】明細書
【補正対象項目名】００３２
【補正方法】変更
【補正の内容】
【００３２】
図１，図２（ａ）のように、底面部１３は、背面側で背面部１１と接続して格子の一部を形成しているが、前面側に平坦部１３ａを有する。平坦部１３ａは一定幅の平板から構成されスケルトン構造になっていない。このため、バケット１０で粘性土や改質土を底面部１３の平坦部１３ａに載せて後述の図４（ｂ）のように掬い上げることができる。また、平坦部１３ａには前面部１２から突き出るようにして平板状の突き出し部１３ｂを取り付けることができるようになっている。 
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
バケットと、前記バケットを操作する操作部と、を有し、前記バケットを操作して、流動性のある粘性土の解泥および前記粘性土と改質材との混合の少なくとも一方の処理を行うための粘性土処理装置であって、
前記バケットは、前記バケットの背面部と前記背面部よりも前面側に位置する前面部とにスケルトン構造を備え、
前記バケットの底面部の少なくとも前面側に設けられたスケルトン構造ではない平坦部と、前記平坦部と一体になって前記前面部から突き出た平板状の突き出し部とからなる平板部をさらに備え、
前記粘性土または前記混合による改質土を、前記平板部により掘削・攪拌するとともに前記各スケルトン構造に通過させることで前記解泥または前記混合が促進されるように構成した粘性土処理装置。
【請求項２】
前記背面部と前記前面部との間の中間部にスケルトン構造をさらに備える請求項１に記載の粘性土処理装置。
【請求項３】
前記バケット内において前記バケットの側面部から対面の側面部に延びた回転軸を中心に回転する回転翼を設け、前記回転翼は、前記処理のときの前記バケット内における前記粘性土または前記粘性土と改質材との混合による改質土の移動により回転可能である請求項１に記載の粘性土処理装置。
【請求項４】
前記スケルトン構造は格子状またはスリット状に構成されている請求項１乃至３のいずれかに記載の粘性土処理装置。
【請求項５】
前記バケットの前面側に位置するスケルトン構造の格子サイズまたはスリット間隔は、前記前面側に対し背面側に位置するスケルトン構造と比べて同等以上である請求項４に記載の粘性土処理装置。
【請求項６】
前記バケットの前面側に位置する格子またはスリットの配列位置は、前面側から前面に対し直交する方向に背面側を見たとき、前記前面側に隣接する背面側の格子またはスリットの配列位置に対しずれている請求項４または５に記載の粘性土処理装置。
【請求項７】
前記バケットの両側面部の少なくとも一方に開口部を設け、前記開口部をスケルトン構造にした請求項１乃至６のいずれかに記載の粘性土処理装置。
【請求項８】
前記スケルトン構造は着脱可能に構成されている請求項１乃至７のいずれかに記載の粘性土処理装置。
【請求項９】
前記スケルトン構造は棒状または板状の鋼材から構成され、前記鋼材は前記バケットの前面側および背面側の両方に向けて尖っている請求項１乃至８のいずれかに記載の粘性土処理装置。
【請求項１０】
バケットの背面部と前記背面部よりも前面側に位置する前面部とにスケルトン構造を備え、前記バケットの底面部の少なくとも前面側に設けられたスケルトン構造ではない平坦部と、前記平坦部と一体になって前記前面部から突き出た平板状の突き出し部とからなる平板部をさらに備える前記バケットを操作して、流動性のある粘性土の解泥および前記粘性土と改質材との混合の少なくとも一方の処理を行う際に、前記粘性土または前記混合による改質土を、前記平板部により掘削・攪拌するとともに前記各スケルトン構造に通過させることで前記解泥または前記混合が促進されるようにした粘性土処理方法。
【請求項１１】
前記バケットにより前記粘性土または前記粘性土と改質材との混合による改質土を前記平坦部および突き出し部に載せて掬い上げてから落下させることで前記処理を行う請求項１０に記載の粘性土処理方法。
【請求項１２】
前記粘性土または前記粘性土と改質材との混合による改質土内において前記平坦部を前記背面部が前記前面部よりも高くなるように傾けた状態で前記バケットを水平方向に移動させることで、前記前面部から流入した前記粘性土または前記改質土が前記平坦部から流れ出ずに斜め上方向に移動し前記背面部から流れ出ることで前記処理を行う請求項１０に記載の粘性土処理方法。
【請求項１３】
請求項１乃至９のいずれかに記載の粘性土処理装置または請求項１０乃至１２のいずれかに記載の粘性土処理方法に使用可能なバケット。
【手続補正２】
【補正対象書類名】明細書
【補正対象項目名】０００８
【補正方法】変更
【補正の内容】
【０００８】
上記目的を達成するための粘性土処理装置は、バケットと、前記バケットを操作する操作部と、を有し、前記バケットを操作して、流動性のある粘性土の解泥および前記粘性土と改質材との混合の少なくとも一方の処理を行うための粘性土処理装置であって、前記バケットは、前記バケットの背面部と前記背面部よりも前面側に位置する前面部とにスケルトン構造を備え、前記バケットの底面部の少なくとも前面側に設けられたスケルトン構造ではない平坦部と、前記平坦部と一体になって前記前面部から突き出た平板状の突き出し部とからなる平板部をさらに備え、前記粘性土または前記混合による改質土を、前記平板部により掘削・攪拌するとともに前記各スケルトン構造に通過させることで前記解泥または前記混合が促進されるように構成した。
【手続補正３】
【補正対象書類名】明細書
【補正対象項目名】００１８
【補正方法】変更
【補正の内容】
【００１８】
上記目的を達成するための粘性土処理方法は、バケットの背面部と前記背面部よりも前面側に位置する前面部とにスケルトン構造を備え、前記バケットの底面部の少なくとも前面側に設けられたスケルトン構造ではない平坦部と、前記平坦部と一体になって前記前面部から突き出た平板状の突き出し部とからなる平板部をさらに備える前記バケットを操作して、流動性のある粘性土の解泥および前記粘性土と改質材との混合の少なくとも一方の処理を行う際に、前記粘性土または前記混合による改質土を、前記平板部により掘削・攪拌するとともに前記各スケルトン構造に通過させることで前記解泥または前記混合が促進されるようにしたものである。
【手続補正４】
【補正対象書類名】明細書
【補正対象項目名】００４０
【補正方法】変更
【補正の内容】
【００４０】
また、バケット１０は、底面部１３にスケルトン構造のない平坦部１３ａを有するので、図５（ｂ）のように、バケット１０を、平坦部１３ａを背面部１１が高くなるように傾けた状態で手前水平方向Ｈに引くことにより、平坦部１３ａから粘性土や改質土の塊が流れ出ず、下方の塊がバケット１０内を斜め上方向ｄに移動する。このようにして、図６と同様に粘性土・改質土Ｇの塊を分断し攪拌しながら解泥・混合を図５（ａ）と同様にして行い、粘性土・改質土の解泥処理・混合処理を効率よく実施できる。また、こうした処理方法は、比重が大きい製鋼スラグ等を改質材として使用した場合、粘性土内で下方に沈降した改質材を均一に混合する際にも有効である。